(57)【要約】【課題】  病院のベッド等に配置するオーバーベッドテーブル又はベッドサイドテーブル等のテーブルにおいて、掲示場所を幅広く大きくして、その掲示場所に掲示用紙(掲示物)を係止することを可能するテーブルを提供する。【解決手段】  オーバーベッドテーブル又はベッドサイドテーブルの天板の側部に沿って上下方向に幅のある強磁性体の鉄板テープを密着して設け、前記側部の表面に平坦部を形成して係止用マグネットが吸着するようにしたマグネットボードにし、掲示用紙を係止マグネットで係止することができる天板の側部に掲示用紙を係止可能にしたテーブル。【選択図】  図２
2014223160.tif 000002
【特許請求の範囲】
【請求項１】
オーバーベッドテーブル又はベッドサイドテーブルの天板の側部に沿って上下方向に幅のある強磁性体の薄い鉄板を設け、前記側部の表面に平坦部を形成して係止用マグネットが吸着するようにしたマグネットボードにし、掲示用紙を係止マグネットで天板の側部に係止することができることを特徴とする掲示用紙を係止可能にしたテーブル。
【請求項２】
前記強磁性体は薄い鉄板は鉄板テープとして、該鉄板テープを天板の側部の所望箇所に貼り付け、更に該鉄板の表面に所望の合成樹脂製の外装シールで覆うようにしたことを特徴とする請求項１に記載の掲示用紙を係止可能にしたテーブル。
【請求項３】
前記強磁性体は薄い鉄板として、該鉄板を天板の側部の外周モールに埋め込んで、該外周モールを天板の側部に設けたことを特徴とする請求項１に記載の掲示用紙を係止可能にしたテーブル。
【発明の詳細な説明】
【技術分野】
【０００１】
本発明は、病院のベッド等に配置するオーバーベッドテーブル又はベッドサイドテーブル等のテーブルにおいて、テーブルの天板の側部に掲示用紙を係止可能にしたテーブルに関するものである。
【背景技術】
【０００２】
病院や介護施設のベッド等に配置するオーバーベッドテーブル又はベッドサイドテーブル等のテーブルが配置されている。
また、病院や介護施設では、ベッド使用者である患者についての、その日の予定表や投薬指示書等の書類が配布され、それらの配布された書類はオーバーベッドテーブル又はベッドサイドテーブル等のテーブル上に載せておくのが一般的であった。
このため、本発明者は、特許文献１として、テーブル又はベッドサイドテーブル等のキャスター操作部の収納する収納部を設け、収納部の前面及び背面を掲示板にして、掲示板をマグネットボードとして、予定表等をマグネットでマグネットボードに係止することができるオーバーベッドテーブル又はベッドサイドテーブルを提案している。
ところで、図４に示すように、従来のオーバーベッドテーブル又はベッドサイドテーブル等のテーブルaは、合成樹脂シートｂをコーティングした木製の天板cと側部dとから構成され、側部ｄは被介護者や患者が怪我をしないように、柔軟な樹脂で作られた外周モールeを嵌め込んだおり、非強磁性体のモールが一般的でありマグネット係止具を使用することはできなかった。特に、図４の断面図のように、外周モールeは中央部が膨出したり、横溝のデザインが施されている場合も多く、このままの形状では、掲示用紙を係止する係止面としては不適当である。
【先行技術文献】
【特許文献】
【０００３】
【特許文献１】特開２０１１−６５０９６号公報
【発明の概要】
【発明が解決しようとする課題】
【０００４】
ところで、前記特許文献１に開示される掲示用紙をオーバーベッドテーブル又はベッドサイドテーブル等のテーブルは、収納部の前面及び背面を掲示板として利用したものであるが、掲示場所が限定されて大きなスペースを占めることは困難であった。また、掲示場所もテーブルの前面か背面のどちらかに設けた掲示板であり、例えば、テーブル前面を利用するベッドの使用者にとって確認が便利であっても、テーブル背面に接する看護師や医師や介護者にとっては不便であった。
特に、病院等ではベッドを使用している被看護者や患者らに知らせる書類や、看護師らの指示書を掲示する場所が少なく、且つ、患者ら使用者が頻繁に見る場所での掲示箇所が少ないといった問題点があった。
【０００５】
本発明の課題は、上述した問題点に鑑みてなされたもので、病院のベッド等に配置するオーバーベッドテーブル又はベッドサイドテーブル等のテーブルにおいて、場所を選ぶことなく、掲示場所を横方向に広く設定できる箇所を確保し、この掲示場所に掲示用紙を係止することを可能とするテーブルを提供しようとするものである。
また、病院等ではベッドを使用している患者らに知らせる書類が多いが、看護師らの指示書を掲示する場所を多くし、且つ、看護師や医師、患者ら使用者が頻繁に見る場所に掲示用紙を掲載できるテーブルを提供しようとするものである。
【課題を解決するための手段】
【０００６】
上記課題を解決するために、オーバーベッドテーブル又はベッドサイドテーブル等のテーブルの天板の側部に着目し、この天板の側部を掲示場所として利用すれば広い掲示場所が確保できることに想到し本発明に至ったものである。
請求項１の発明は、オーバーベッドテーブル又はベッドサイドテーブルの天板の側部に沿って上下方向に幅のある強磁性体の薄い鉄板を設け、前記側部の表面に平坦部を形成して係止用マグネットが吸着するようにしたマグネットボードにし、天板の側部に掲示用紙を係止マグネットで係止することができることを特徴とする掲示用紙を係止可能にしたテーブルである。
請求項２の発明は、請求項１に記載の掲示用紙を係止可能にしたテーブルにおいて、前記強磁性体は薄い鉄板の鉄板テープとして、該鉄板テープを天板の側部の所望箇所に貼り付け、更に該鉄板の表面に所望の合成樹脂製の外装シールで覆うようにしたことを特徴とする。
請求項３の発明は、請求項１に記載の掲示用紙を係止可能にしたテーブルにおいて、前記強磁性体は薄い鉄板として、該鉄板を天板の側部の外周モールに埋め込んで、該外周モールを天板の側部に設けたことを特徴とする。
【発明の効果】
【０００７】
請求項１の掲示用紙を係止可能にしたテーブルの発明によれば、オーバーベッドテーブル又はベッドサイドテーブル等のテーブルの天板の側部は、前後や左右を問わず横方向に広い幅を有しており、場所を選ぶことなく掲示場所を広くすることができ、病院等ではベッドを使用している患者らに知らせる書類が多いが、看護師らの指示書を掲示する場所を多くし、且つ、看護師や医師、患者ら使用者が頻繁に見る場所に掲示用紙を掲載できる。特に、オーバーベッドテーブル又はベッドサイドテーブルはベッドに付随するもので、掲示用紙の文字等が大きければ、使用者がベッドに寝たままでもその内容を確認することができる。
また、前掲の特許文献１のように別途に掲示板を設けなくとも、既存のオーバーベッドテーブル又はベッドサイドテーブルを形体をそのまま維持でき、掲示場所を増すことができる。
更に、書類等のペーパーの掲示用紙の係止手段として、コルク板とピンとの組み合わせではピンが人を刺す危険性があるので、病院内で使用することを考慮してこの組み合わせを避け、強磁性体のマグネットボードとマグネット係止具との組み合わせであるので安全である。
【０００８】
請求項２の掲示用紙を係止可能にしたテーブルの発明によれば、強磁性体は薄い鉄板として、該鉄板を天板の側部の所望箇所に貼り付け、更に該鉄板の表面に所望の合成樹脂シールで覆うようにしたので、制作が容易であり、特に、従来型のオーバーベッドテーブル又はベッドサイドテーブル等のテーブルのモールの上から、強磁性体は薄い鉄板として、鉄板を天板の側部の所望箇所に貼り付け、更に鉄板の表面に所望の合成樹脂シールで覆うよう改造することが容易である。
請求項３の掲示用紙を係止可能にしたテーブルの発明によれば、強磁性体は薄い鉄板として、鉄板を天板の側部のモールに埋め込んだので、新規にオーバーベッドテーブル又はベッドサイドテーブル等のテーブルを制作すれば、強度がある堅牢なテーブル天板とすることができる。
【図面の簡単な説明】
【０００９】
【図１】本発明のテーブルを、オーバーベッドテーブルに用いた実施例の全体の外観斜視図、
【図２】本発明の図１のＡ−Ａ線での実施例１のテーブルの天板の側部の拡大断面図、
【図３】本発明の図１のＡ−Ａ線での実施例２のテーブルの天板の側部の拡大断面図、
【図４】従来の図１のＡ−Ａ線でのテーブルの天板の側部の拡大断面図である。
【発明を実施するための形態】
【００１０】
本発明に使用するオーバーベッドテーブル又はベッドサイドテーブル等のテーブルにおいて、オーバーベッドテーブルを図１に沿って説明する。
図１において、オーバーベッドテーブル１は、テーブル２がベッドＢを跨ぐように左右一対のテーブル支持柱３によって支持され、この一対のテーブル支持柱３は床に接地するそれぞれの脚部４によって支持されている。
テーブル支持柱３の長さは、テーブル２の両端の底部２１に設けられた高さ調整レバー３１の操作により調整でき、この結果テーブル２の高さも調節される。また、左右の一対の脚部４にも前後方向に一対のキャスター５が設けられ、これら計４個のキャスター５は、テーブル２の両端の底部２１に設けられたキャスター操作レバー５１により、キャスター５のロック／解除を一括して操作する。
本実施例のテーブル２は、主に、天板２２と側部２３とからなっており、側部２３の上端は天板２２表面より若干高く(ｈ)なっており、コップを倒して水がこぼれ出ても、テーブル２からこぼれ落ちないようになっている。勿論、天板２２と側部２３との面を同じ高さにして平坦にしてもよい。
テーブル２の側部２３には強磁性体を組み込んでいるので、掲示用紙Ｋや掲示部をマグネットを含んだ種々のマグネット係止具６で側部２３に係止している。
【実施例１】
【００１１】
ここで、図２は図１のＡ−Ａ線での実施例１のテーブルの天板の側部の拡大断面図であるが、この図２に沿って、オーバーベッドテーブル１の天板２２の側部２３に掲示用紙Ｋを係止可能にしたテーブル２の実施例１を説明する。
図２において、テーブル２の天板２２は基材２２１と上面シール（合成樹脂薄板）２２２から構成され、基材２２１は木製でその上面には合成樹脂製の上面シール２２２でコーティングされており、基材２２１の縁の周辺部２２３には側部２３を嵌合するための凹溝２２４が全周に亘って設けられている。
側部２３の内層は上下方向の幅(ｘ１)は２８mmの軟質樹脂製で外周モール２４、その上面に薄い鉄板テープ２５を貼り付け、外層は合成樹脂製の木目の外装シール２６から構成されている。
側部２３の内周側の外周モール２４には、天板２２を側部２３に嵌め込むために、天板２２の基材２２１と嵌合凹溝２２４とに対応する面には、上部嵌合膨出部２４１と下部嵌合膨出部２４２とこれらの中間部に嵌合凸部２４３が設けられ、上部嵌合膨出部２４１と下部嵌合膨出部２４２で天板２２の上下面を挟むように嵌合し、中間の嵌合凸部２４３が天板２２の嵌合凹溝２２４に嵌合し固定する。
【００１２】
外周モール２４の外周側は全周に亘って、凸凹はなく垂直な平坦部２４４を構成し、その平坦部２４４は上下方向の幅(ｘ２)は２５mmであり、この平坦部２４４に厚さ０.１mmで幅(ｘ３)は２０mmの強磁性体である薄い鉄板テープ２５が接着されている。なお、本実施例では側部２３の屈曲可能な薄い外周モール２４の外周側は全周に亘って鉄板テープ２５を設けてあるが、オーバーベッドテーブル１の前面と背面の側部２３だけ、又は所望箇所だけにしてもよい。
更に、外周モール２４の平坦部２４４に強磁性体である薄い鉄板テープ２５を貼り付けた上面に、図２に示すように、木目が印刷された薄い鉄板テープ２５より上下方向に幅(ｘ４)のある外装テープ２６を用いて、露出している外周モール２４の部分を覆うように接着している。鉄板テープ２５が平坦であることから、この外周モール２４の外周も平坦部２６１、すなわち、側部２３にも平坦部２３１(２６１)が形成されている。なお、外装テープ２６は、薄い鉄板テープ２５に鋭いエッジがあ場合もあるので外装テープ２６で覆うことによって指等の怪我を防ぐ機能も有している。
この側部２３にも平坦部２３１(２６１)には、強磁性体である薄い鉄板テープ２５が内在されているので、１図及び図２に示すように、掲示用紙Ｋや掲示物をマグネットを含んだ種々のマグネット係止具６で側部２３に係止することができる。
【００１３】
実施例１は以上のような構成であるので、オーバーベッドテーブル１の天板２２の側部２３は、前後や左右を問わず横方向に長い幅を有しているので、場所を選ぶことなく掲示場所を広くすることができ、病院等ではベッドを使用している患者らに知らせる書類が多いが、看護師らの指示書を掲示する場所を多くし、且つ、看護師や医師、患者ら使用者が頻繁に見る場所に掲示用紙を掲載でき、特に、オーバーベッドテーブルはベッドに付随するものであるが、掲示用紙Ｋの文字等が大きければ、使用者がベッドに寝たままでもその内容を確認することができる。
また、書類等のペーパーの掲示用紙Ｋの係止手段として、コルク板とピンとの組み合わせではピンが人を刺す危険性があるので、病院内で使用することを考慮してこの組み合わせを避け、強磁性体のマグネットボード(側部２３)とマグネット係止具６の組み合わせであるので安全性である。
また、強磁性体は薄い鉄板テープ２５として、鉄板テープ２５を天板２２の側部２３の所望箇所に貼り付け、鉄板テープ２５の表面に所望の合成樹脂の外装シール２６で覆うようにしたので、制作が容易であり、特に、従来型のオーバーベッドテーブル又はベッドサイドテーブル等のテーブルのモール(２４)の上から、強磁性体は薄い鉄板テープ２５として、鉄板テープ２５を天板２２の側部２３の所望箇所に貼り付け、更に鉄板テープ２５の表面に合成樹脂製の外装シール２６で覆うようにすれば改造することが容易である。
【実施例２】
【００１４】
ここで、図３は図１のＡ−Ａ線での実施例２のテーブルの天板の側部の拡大断面図であるが、この図２に沿って、オーバーベッドテーブル１の天板２２の側部２３に掲示用紙Ｋを係止可能にしたテーブル２の実施例２を説明する。
天板２２の構成などは実施例１と同じであり説明は省略するが、側部２３の内周側の外周モール２４には、天板２２を側部２３に嵌め込むために、天板２２の基材２２１と嵌合凹溝２２４とに対応する面には、上部嵌合膨出部７４１と下部嵌合膨出部７４２とこれらの中間部に嵌合凸部７４３が設けられ、上部嵌合膨出部７４１と下部嵌合膨出部７４２で天板２２の上下面を挟むように嵌合し、中間の嵌合凸部７４３が天板２２の嵌合凹溝２２４に嵌合し固定する。
実施例２と実施例１と構成が異なる点は、実施例１では、鉄板テープ２５を天板２２の側部２３に貼り付け、鉄板テープ２５の表面に外装シール２６で覆しているが、実施例２では天板２２の側部の軟質樹脂製の外装モール７１に強磁性体は薄い鉄板７２を埋め込み、この外装モール７１の外周部には平坦部７２を設けている。
この平坦部７２には図３に示すように、この側部２３にも平坦部２３１(２６１)には、強磁性体である薄い鉄板テープ２５が内在されているので、１図及び図３に示すように、掲示用紙Ｋや掲示物をマグネットを含んだ種々のマグネット係止具６で側部７に係止することができる。その他の作用・効果は実施例１と同じである。
実施例２では、鉄板テープ２５や外装シール２６を施す工程は不要で、作業工程が簡単になり、かつ、金属板が一体であることから強度があり、外観もすっきりした堅牢なオーバーベッドテーブルとすることができる。これは、新規にオーバーベッドテーブル１を製作する場合に有利である。
【００１５】
ところで、実施例１の天板２２の縁部に嵌め込む側部２３を形成する外周モール２４、及び、実施例２の側部７の外装モール７１を長手方向に屈曲可能で、且つ、それ自体が柔らかい軟質樹脂製としたのは、テーブルの全周にモールを施行し易いことにことに加え、オーバーベッドテーブル又はベッドサイドテーブル等のテーブルが病院や介護施設に配置することから、テーブル角が硬いことによる思わぬ怪我等の事故が発生することがあり、テーブルの縁の角を柔らかくして、角が身体に当たっても怪我等の事故を防止或いは軽減するようにしたものである。
なお、本発明の特徴を損なうものでなければ、上記の実施例に限定されるものでないことは勿論であり、例えば、実施例１は外装シール２５で鉄板テープを覆っているが、鉄板テープの表面をデザインを施し、外側に位置するエッジを丸くして安全にし、外装シール２５を用いず、鉄板テープ２５を露出させてもよく、この場合は外装シール２５が不必要になり、作業工程も省略できる。また、実施例１及び２ではオーバーベッドテーブルで説明したが、同様なベッドサイドテーブルや、これに類似したテーブルに適用できることは勿論である。
【符号の説明】
【００１６】
Ｂ・・ベッド、Ｋ・・掲示用紙(掲示物)、
１・・オーバーベッドテーブル、
２・・テーブル、２１・・底部、２２・・天板、
２２１・・基材、２２２・・上面シール、
２２３・・周辺部、２２４・・嵌合凹溝、
２３・・側部、２３１・・平坦部、
２４・・外周モール、２４１,７４１・・上部嵌合膨出部、
２４２,７４２・・下部嵌合膨出部、
２４３,７４３・・嵌合凸部、２４４・・平坦部、
２５・・鉄板テープ、
２６・・外装シール、２６１・・平坦部、
３・・テーブル支持柱、３１・・高さ調整レバー、
４・・脚部、
５・・キャスター、５１・・キャスター操作レバー、
６・・マグネット係止具、
７・・側部、７１・・外装モール、７２・・鉄板、７３・・平坦部
【図１】
2014223160.tif 000003
【図２】
2014223160.tif 000004
【図３】
2014223160.tif 000005
【図４】
2014223160.tif 000006